(57)【要約】【課題】  従来二人掛かりで実施していた箱入り地質標本１１の撮影を、一人でも容易に実施できるようにする。【解決手段】  本願撮影用架台３０は、前側構造体３１と後側構造体３３とを有する。これらは上方で蝶番３６で連結されている。後側構造体は、連結部分から設置面１８に当接する部分（支柱下端６２）迄の距離が、前側構造体のそれより所要量短かくされている。後側構造体を下にして本願架台を倒す。その上に標本箱１０を載せる。このとき標本箱は前側構造体の支承部材４８に当接させておく。この状態で架台の上記連結部分を引き起こして行くと、後側構造体の下方部分３４が前側構造体の下方部分３２から自然に離隔して行く。後側構造体がほぼ垂直になった辺りで、足掛け部材３７に足を掛け、後側構造体の下方部分を前側構造体の下方部分から更に離隔させる。これで二つの構造体が互いに支え合って設置面に自立する。【選択図】  図１
2014164140.tif 000002
【特許請求の範囲】
【請求項１】
前側構造体と後側構造体とを有し、
該二つの構造体は夫々の上方部分が連結されており、
前記後側構造体は、前記連結部分からその設置面に当接する部分迄の距離が、前記前側構造体の当該距離より所要量短かくされており、
且つその下方部分に作業者が足を掛ける足掛け部材が設けられており、
前記前側構造体には、地質標本が収納された標本箱を支承する支承部材が設けられており、
前記後側構造体を下にして前記二つの構造体が倒して置かれた後、
前記支承部材に当接されるように地質標本が収納された標本箱が前記前側構造体上に載置され、
該状態で前記二つの構造体の前記連結部分が引き起こされて行くと、
前記後側構造体の下方部分が、前記前側構造体の下方部分から自然に離隔して行き、
該後側構造体がほぼ垂直になった辺りで、前記足掛け部材に足が掛けられ、前記後側構造体の下方部分が前記前側構造体の下方部分から更に離隔されると、
前記二つの構造体が互いに支え合って自立する
ことを特徴とする箱入り地質標本撮影用架台。
【請求項２】
前記標本箱の蓋が開かれたときその蓋に接する蓋位置調節部材が、前記前側構造体に回動可能に設置されており、
該調節部材は、その回動中心から前記蓋に接する周縁までの距離がその回動角度によって相違するものであり、
該回動角度を調節することで、該調節部材に当接された前記蓋の開口面と前記標本箱の身の開口面とが同一平面に含まれるようになる
ことを特徴とする請求項１に記載の箱入り地質標本撮影用架台。
【請求項３】
載置された標本箱の留め金の突出分を吸収する凹陥部が前記支承部材に形成されている
ことを特徴とする請求項１又は請求項２に記載の箱入り地質標本撮影用架台。
【発明の詳細な説明】
【技術分野】
【０００１】
本発明は箱入り地質標本撮影用架台に関する。詳しくは、ボーリングで取り出され、標本箱に収納されている地質標本を、一人で迅速的確に撮影する為の、箱入り地質標本撮影用架台に関する。
なお、地質標本はこの分野ではコアーと呼ばれる。また、これを収納する箱はコアー箱と呼ばれる。しかし、コアーという言葉は、一般に種々の意味で使われる。従って本明細書では、意味をより明確にしておくべく、地質標本、標本箱という言葉を使用する。
【０００２】
なお、本明細書では、地質標本を、略して標本と言うことがある。また、標本箱を略して箱と言うことがある。箱入り地質標本撮影用架台も、略して撮影用架台、更には架台と言うことがある。
他の用語についても、修飾語を省いたと理解し得るであろう範囲で、適宜略して使用することがある。文中の符号についても、そこまでの説明から理解し得るであろう範囲で適宜省略する。
【０００３】
また、図面中の符号についても、図を見易くするため、他の図面の参照で理解可能と思料されるものは適宜略す。例えば、図６〜図１５の符号については、図１〜図５、図２１〜図２５の符号の参照で理解可能と思料される。それ故、これらの図では適宜符号を略す。
また、例えば、図２、図４、図５については、図１と共通する符号が多い。それ故、これらの図でも適宜符号を略す。なお、こうした結果、これらの図で表示されている符号は、その図に於いて形状が明確になる部位、部材が主となる。
【背景技術】
【０００４】
資源の探査とか、地質の調査とか、地盤の強度評価といった作業では、ボーリングが実施され、地質標本が取得される。この地質標本は標本箱に収納される。標本箱は、例えば図２１〜図２５に示されたようなものであり（符号１０）、この例では、直径７５ｍｍ、長さ１０００ｍｍの地質標本１１（図３３）が５本収納される。
なお、この箱１０の構造については、発明を実施するための形態の項で説明する。また、各図面の表示内容については、図面の簡単な説明の項を参照して貰うこととする。
【０００５】
標本箱１０に収納された地質標本１１については、写真撮影が行なわれる。記録として残しておく為である。この場合、図２６に示すように、標本箱１０を地面に置くことも考えられる。
しかし、写真は鮮明であることが求められる。その為には、例えば、影が出ない方向から太陽光が入射しているのが好ましい。
【０００６】
また、カメラを三脚に固定し、ピントをキチンと合わせるのが好ましい。しかし、蓋１２を開けた状態の箱１０は、かなりの面積がある。そういうものの直上に、図２６に示す如くカメラ１３を配置するのは煩雑である。
更に、そこで、例えば画角を合わせ、自動にしろ標本１１の表面にちゃんとピントを合わせる、といった作業をするのは、かなり煩雑である。
また、直上に置くことで、カメラや三脚、作業者の影などが映り込んだりする。これも好ましくない。
【０００７】
それ故、標本１１が入った箱１０を撮影するには、各特許公報に示されているような画架の如きものを使用するのが好ましい。つまり、箱１０を撮影者の方に傾けた状態で撮影するのが好ましい。
出願人に於ても、従来より、その為の箱入り地質標本撮影用架台２０を提供している。図２７〜図３０にその構造を示す。
【０００８】
なお、本願発明は、この従来の撮影用架台２０を改良したものである。従って、本願発明の実施の形態例についての説明を参照して貰えば、この従来の撮影用架台２０の構造は理解し得る。それ故、ここでの説明は略す。
【０００９】
標本１１を収納した箱１０は、図３１（Ａ）に示したように架台２０に載置する。そして、同図（Ｂ）の如く蓋１２を開ける。カメラ１３は、図３２に例示したように、箱の身１４に正対した位置に配置する。この位置は、身の開口面４３の鉛直線上にある。
そして画角を決め、ピントを合わせる。そうすれば、図３３に示すような、好ましい箱入り地質標本１１の画像１６が得られる。
【先行技術文献】
【特許文献】
【００１０】
【特許文献１】実用新案出願公告昭４６−２９１３０号公報
【特許文献２】実用新案登録第３０７８８４８号公報
【特許文献３】実用新案登録第３１４４１０９号公報
【特許文献４】実用新案登録第３０８７０６２号公報
【特許文献５】実用新案出願公開平２−１２３３００号公報
【特許文献６】実用新案登録第３１２１６２６号公報
【特許文献７】実用新案出願公開昭６３−４１２４４号公報
【発明の概要】
【発明が解決しようとする課題】
【００１１】
地質標本１１が収納された標本箱１０は、例えば図３４に示す如く撮影用架台２０へ載置する。即ち、設置面１８たる地面又は床に置かれた標本箱１０を持ち上げ、姿勢Ａ１からＡ２、Ａ３と標本箱１０を傾けて行き、姿勢Ａ４のように架台の支承部材１７上に載置する。
【００１２】
この場合、標本１１が入った箱１０は重い。おまけに数が多い。と言うのは、標本箱一つには、５メートル分の標本１１しか入らないからである。それ故、例えば５０ｍの深さのボーリングを１本実施しただけでも、標本箱は１０個になる。
そして、何メートル掘るのか、何本掘るのか、それはボーリングの目的により異なるが、兎に角、撮影すべき標本箱は通常沢山ある。
【００１３】
又、この作業の際は、標本箱１０を必要以上に傾けないよう注意しなければならない。例えば移動の途中で前に傾けたりとか（図３５姿勢Ａ５）、支承部材１７の上に載せる際、一旦前に傾けてから前側構造体２１に立て掛けるとかいうような動かし方（図３５姿勢Ａ６）をしない方が良い。
【００１４】
何故なら、若しこれらのように傾けてしまうと、身１４の底に静止していた標本１１が蓋１２に向かって転動する。そうすると、その標本１１の地質次第では、崩れたり、ひびが入ったりする。尤も、標本１１を採取する際にも崩れたりひびが入ったりする。従って、こうなったら絶対駄目と言う訳ではないが、このようにはならない方が良い。それに、傾けることで、標本１１から落ちた泥や砂、礫などが箱１０の中に散乱する。これでは標本１１自体が見にくくなる。見掛けも悪くなる。
【００１５】
そういう、重い、また通常沢山ある標本箱１０を、必要以上に傾けないように注意しながら、何度も何度も、撮影用架台２０に載置するのは、かなり疲れる作業である。
このため、通常はこの作業を二人で行なう。即ち、標本箱１０を二人で持ち上げ、前記姿勢Ａ５やＡ６のようにならないよう注意しながら、撮影用架台２０に載置する。
【００１６】
しかし、凡そどの業種でもそうであるが、省力化が出来るならそれに越したことはない。その点で、この撮影作業も一人で出来るなら、それに越したことはない。
本発明の目的は、こういう撮影作業について省力化を図ることにある。
【課題を解決するための手段】
【００１７】
上記目的達成のため、請求項１の発明では、前側構造体と後側構造体とを有し、該二つの構造体は夫々の上方部分が連結されており、前記後側構造体は、前記連結部分からその設置面に当接する部分迄の距離が、前記前側構造体の当該距離より所要量短かくされており、且つその下方部分に作業者が足を掛ける足掛け部材が設けられており、前記前側構造体には、地質標本が収納された標本箱を支承する支承部材が設けられており、前記後側構造体を下にして前記二つの構造体が倒して置かれた後、前記支承部材に当接されるように地質標本が収納された標本箱が前記前側構造体上に載置され、該状態で前記二つの構造体の前記連結部分が引き起こされて行くと、前記後側構造体の下方部分が、前記前側構造体の下方部分から自然に離隔して行き、該後側構造体がほぼ垂直になった辺りで、前記足掛け部材に足が掛けられ、前記後側構造体の下方部分が前記前側構造体の下方部分から更に離隔されると、前記二つの構造体が互いに支え合って自立する。
【００１８】
また、請求項１を引用する請求項２の発明では、前記標本箱の蓋が開かれたときその蓋に接する蓋位置調節部材が,前記前側構造体に回動可能に設置されており、該調節部材は、その回動中心から前記蓋に接する周縁までの距離がその回動角度によって相違するものであり、該回動角度を調節することで、該調節部材に当接された前記蓋の開口面と前記標本箱の身の開口面とが同一平面に含まれるようになる。
また、請求項１又は請求項２を引用する請求項３の発明では、載置された標本箱の留め金の突出分を吸収する凹陥部が前記支承部材に形成されている。
【発明の効果】
【００１９】
地質標本１１が収納された標本箱１０が多少重くても、設置面１８たる地面や床から少し持ち上げることは一人でも容易に出来る。更に、それを横に少し移動させることも容易に出来る。従って、後側構造体３３を下にして、撮影用架台３０を設置面１８に倒しておき、その上に地質標本１１が収納された標本箱１０を載置することは容易に出来る（図８（Ａ）、（Ｂ））。
【００２０】
そして、この状態で、撮影用架台３０の蝶番３６による連結部分を作業者が引き起こして行くと、この架台３０について、梃子の原理が働き、標本箱が載置されたこの架台３０を一人で容易に引き起こして行くことが出来る（図９（Ａ）→図１１（Ｂ））。
【００２１】
即ち、各構造体３１，３３の設置面への当接部分Ｃ１〜Ｃ３が支点となり、また、作業者が手を掛けるところの蝶番３６による連結部分が力点となり、そして、前側構造体３１の標本箱１０に接している部分が作用点（作用面）となり、標本箱１０は持ち上げられて行く。
【００２２】
具体的に実施の形態例に即して説明すると、最初は、後側構造体の足掛け部材の角Ｃ１が支点となる（図９（Ｂ））。次に、後側構造体の支柱の下端の後側の角Ｃ２が支点となり（図９（Ｃ））、その後は、前側構造体の支柱の後側の角Ｃ３が支点となる（図１０（Ａ）→図１１（Ｂ））。
但し、後側構造体の支柱４０が図９（Ｃ）に示す状態より短いときは、角Ｃ２は支点とはならない。
【００２３】
そして、このとき、前側構造体３１が引き起こされるにつれ、後側構造体の下方部分３４は、前側構造体の下方部分３２から自然に離隔して行く（図１０（Ａ）→図１１（Ｂ））。
そして、後側構造体３３がほぼ垂直になったとき（図１１（Ｂ））、作業者が後側構造体の足掛け部材３７に足を掛け、後側構造体の下方部分３４が前側構造体の下方部分３２から離隔する方向に、この後側構造体の下方部分３４を引き付けて行くと（図１１（Ｂ）→図１２（Ａ））、前側構造体３１と後側構造体３３が支え合う形になり、これらが自立する（図１２（Ｂ））。
【００２４】
それ故、従来二人で実行せざるを得なかった箱入り地質標本１１の撮影作業を、一人でも楽に実行し得るようになる。
【００２５】
また、地質標本１１の写真は報告書に添付されたりする。従って、鮮明であるべきこと言うまでもないが、見栄えが良ければそれに越したことはない。この点で、標本箱の蓋１２は中途半端に開いているのでなく、その開口面４２と身の開口面４３とが同一平面に含まれていることが望ましい（図１３）。
【００２６】
従来も、この点は考慮されており、その辺にある木片等を、枕として蓋１２と前側構造体２１の間に挟むなどし、その開口面４２と身の開口面４３とが同一平面に含まれるようにしていた。
【００２７】
しかし、標本箱１０を入れ替える作業自体が煩雑なのに、そのつど枕等を挟み込むのは更に煩雑である。どうせ改善するなら、この煩雑さも解消したい。
この場合、地質標本の直径は何種類かあり、それに応じて標本箱も、夫々にその高さが異なっている。このため、同じように蓋を開けても、標本箱の高さの相違により、前側構造体３１からの距離Ｄ（図１３）が異なって来る。これにも対応できた方が良い。
【００２８】
この要望に応えるべく、本発明では、請求項２に記載の如き蓋位置調節部材５３を設けた。こうすれば、架台３０を引き起こしたあと、標本箱の蓋１２を開け、調節部材５３に当接させるだけで良い。
それだけで、蓋の開口面４２と身の開口面４３とが、同一平面に含まれるようになる。従来のように、枕等を挟むなどという煩雑さは無くなる。
【００２９】
また、このとき、調節部材５３の回動角を変えれば、蓋１２の開き具合は変って来る。それ故、標本箱の高さ等が異なっていても、蓋の開口面４２と身の開口面４３とが、同一平面に含まれるように為し得る。
【００３０】
更に、標本箱１０には、蓋１２を閉じておく為の留め金４４が取り付けられている（身側４４ａ、蓋側４４ｂ）。標本箱１０を従来の撮影用架台２０に載置すると、これが支承部材１７に当る場合がある。このとき、留め金４４の突出寸法は必ずしも均一ではない。このため、載置した標本箱１０が左右何れかに僅かに傾く場合がある。
こういうとき、請求項３に記載のように、載置された標本箱の留め金４４の突出分を吸収する凹陥部４７が支承部材４８に形成されていれば、この留め金４４の突出の影響を受けなくなり、標本箱１０が水平に撮影用架台３０に載置される。
【００３１】
また、留め金４４が中途半端に支承部材１７に当る場合もある。こういうとき、図３６（Ａ）に示すように、標本箱１０の下側を少し前方に引き出す必要がある。このとき、注意して引き出さないと、図３６（Ｂ）に示すように、標本箱１０が支承部材１７から外れてしまう。
こうなっては都合が悪い。こういう場合、請求項３のように凹陥部４７が形成されていれば、そういうトラブル、煩雑さは回避できる。
【００３２】
なお、従来の撮影用架台２０では、本発明の如き操作は難しい。即ち、架台２０を倒した状態にし、そこに標本箱１０を載せ、それから引き起こす、というような操作は難しい。念のため、この点について説明しておく。
【００３３】
先ず、従来の撮影用架台２０は、蝶番３６による連結部分から設置面１８までの距離、具体的には支柱２２，２４の長さが、前側構造体２１と後側構造体２３とで同一である（図２７（Ｂ））。
この為、例えば本発明と同様に、従来の撮影用架台２０を倒した状態にして、その上に地質標本１１が収納された標本箱１０を載置し、これらを引き起こして行ったとしても（図３７（Ａ））、後側構造体の支柱の後側の角Ｃ４が回動中心となるために、この後側構造体の下方部分２７が、本発明と同様に前側構造体の下方部分２６から自然に離隔して行ったりはしない。
【００３４】
即ち、従来のものを使用する場合は、直立するところ迄撮影用架台２０を引き起こしたとき（図３７（Ｂ））、初めて後側構造体の下方部分２７を前側構造体の下方部分２６から離隔することが出来る。
しかし、ここまで引き起こしたのでは、標本箱１０も直立してしまう（同図）。この為、支承部材１７の奥行きが十分でない場合、例えば、図３７（Ａ）や同図（Ｂ）に示されたように、標本箱１０の高さの半分程度しか無かった場合、標本箱１０が簡単に前方へ倒れてしまう（奥行きとは、図３７（Ａ）、（Ｂ）の左右方向の寸法）。
【００３５】
なお、留め金４４が当るので、通常奥行きは大きく取れないが、仮にこの奥行きが大きくされていたとしても、元々標本箱１０が垂直では、撮影用架台２０が揺れたりした場合に、やはり簡単に倒れてしまう可能性がある。
そうなっては地質標本１１が壊れる可能性が高い。結局は、従来構造の架台２０を使う場合、従来どおり先に自立させておき、二人で箱１０を載置する方が安全、ということになる。
【図面の簡単な説明】
【００３６】
【図１】実施の形態の一例である箱入り地質標本撮影用架台３０を示し、（Ａ）は正面図、（Ｂ）は右側面図。
【図２】実施の形態の一例である箱入り地質標本撮影用架台３０を示す背面図。
【図３】実施の形態の一例である箱入り地質標本撮影用架台３０を示し、（Ａ）は平面図、（Ｂ）は図１（Ａ）の３Ａ−３Ｂ線切断矢視断面。分図（Ａ）に於ける、支承部材３１、足掛け部材３７、蓋位置調節部材５３の表示は省略した。
【図４】実施の形態の一例である箱入り地質標本撮影用架台３０について、後側構造体を取り除いて前側構造体３１のみを示し、（Ａ）は背面図、（Ｂ）は右側面図。
【図５】実施の形態の一例である箱入り地質標本撮影用架台３０について、前側構造体を取り除いて後側構造体３３のみを示し、（Ａ）は正面図、（Ｂ）は右側面図。
【図６】実施の形態の一例である箱入り地質標本撮影用架台３０の自立状態を示す右側面図。
【図７】実施の形態の一例である箱入り地質標本撮影用架台３０の設置手順を示し、（Ａ）は、後側構造体３３を下にして、この架台３０を設置面１８に倒した状態を示す平面図、（Ｂ）は同じ状態を示す右側面図。なお（Ａ）は右側面を下にしている。この方が（Ｂ）との関係を理解し易いからである。
【図８】実施の形態の一例である箱入り地質標本撮影用架台３０の設置手順を示し、（Ａ）は、後側構造体３３を下にして、設置面１８に倒した状態の架台の前側構造体３１の上に、地質標本１１を収納した箱１０を、支承部材４８に当接させて載置した状態を示す平面図、（Ｂ）は同じ状態を示す右側面図。なお（Ａ）は右側面を下にしている。この方が（Ｂ）との関係を理解し易いからである。
【図９】実施の形態の一例である箱入り地質標本撮影用架台３０の設置手順を示し、（Ａ）は、後側構造体３３を下にして設置面１８に倒した状態の架台の前側構造体３１の上に、地質標本１１を収納した箱１０を支承部材４８に当接させて載置し、その取っ手５２を起こした状態を示す右側面図、（Ｂ）は作業者が取っ手５２を持ち、同架台３０を（Ａ）に示す状態から少し引き起こした状態を示す右側面図、（Ｃ）は作業者が取っ手５２を持ち（Ｂ）に示す状態から同架台３０を更に少し引き起こした状態を示す右側面図。
【図１０】実施の形態の一例である箱入り地質標本撮影用架台３０の設置手順を示し、（Ａ）は作業者が取っ手５２を持ち、同架台３０を図９（Ｃ）に示す状態から更に少し引き起こした状態を示す右側面図、（Ｂ）は作業者が取っ手５２を持ち、本図（Ａ）に示す状態から同架台３０を更に少し引き起こした状態を示す右側面図。
【図１１】実施の形態の一例である箱入り地質標本撮影用架台３０の設置手順を示し、（Ａ）は作業者が取っ手５２を持ち、同架台３０を図１０（Ｂ）に示す状態から更に少し引き起こした状態を示す右側面図、本図（Ｂ）は作業者が取っ手５２を持ち、本図（Ａ）に示す状態から同架台３０を更に少し引き起こし、後側構造体３３が垂直になった辺りの状態を示す右側面図。
【図１２】実施の形態の一例である箱入り地質標本撮影用架台３０の設置手順を示し、（Ａ）は、図１１（Ｂ）に示すように後側構造体３３が垂直になった辺りから、作業者が足掛け部材３７に足を掛け、後側構造体の下方部分３４を前側構造体の下方部分３２から離隔させて行く状態を示す右側面図、（Ｂ）は、本図（Ａ）に示す状態から更に後側構造体の下方部分３４を前側構造体の下方部分３２から離隔させ、鎖２８が展張されたところでこの離隔が停止され、撮影用架台３０が設置面１８に自立した状態を示す右側面図。
【図１３】実施の形態の一例である箱入り地質標本撮影用架台３０が設置面１８に自立した状態とされ、該架台３０に載置された標本箱の蓋１２が開かれ、地質標本１１に正対する位置から写真撮影が行なわれる状態を示す右側面図。
【図１４】図１３に示すカメラ位置から見た箱入り地質標本１１の画像の一例４９を示す正面図。
【図１５】実施の形態の一例である箱入り地質標本撮影用架台３０の設置作業に於て、蝶番３６が回動せず固定されていたと仮定し、作業者が取っ手５２を持って同架台を図９（Ｃ）に示す状態から更に少し引き起こしたと想定した場合を示す右側面図。
【図１６】前側構造体の下端６１と、後側構造体の下端６２に、下部桟５０，５１が取着されている例を示し、（Ａ）は正面図、（Ｂ）は右側面図。
【図１７】後側構造体３３の支柱の長さ（蝶番３６による連結部分から支柱下端までの距離）を対比して示す右側面図で、（Ａ）は実施の形態例より長い支柱の例４０Ｌ、（Ｂ）は実施の形態例の支柱４０、（Ｃ）は実施の形態例より短い支柱の例４０Ｓを示す。
【図１８】架台３０をどこまで引き起こしたら後側構造体３３が垂直になり、架台３０の足を開かせることが出来るようになるかを比較して示す右側面図。各分図は図１７の各分図と対応しており、（Ａ）は実施の形態例より長い支柱４０Ｌの場合、（Ｂ）は実施の形態例の支柱の場合、（Ｃ）は実施の形態例より短い支柱４０Ｓの場合を示す。
【図１９】蓋位置調節部材の第二例５４を示す右側面図。
【図２０】蓋位置調節部材の第三例５５を示す右側面図。
【図２１】地質標本１１を収納する標本箱の一例１０を示し、（Ａ）は正面図。（Ｂ）は平面図。
【図２２】地質標本１１を収納する標本箱の一例１０を示す右側面図。
【図２３】地質標本１１を収納する標本箱の一例１０を示し、蓋１２を開けた状態を示す正面図。
【図２４】地質標本１１を収納する標本箱の一例１０を示し、蓋１２を開けた状態を示す平面図。
【図２５】地質標本１１を収納する標本箱の一例１０を示し、蓋１２を開けた状態を示す右側面図。
【図２６】箱入り地質標本１１を設置面１８たる地面或いは床面に据え、箱の身１４に正対する方向（直上）から撮影すると想定した場合を示す右側面図。
【図２７】従来の箱入り地質標本撮影用架台２０を示し、（Ａ）は正面図、（Ｂ）は右側面図。
【図２８】従来の箱入り地質標本撮影用架台２０を示す背面図。
【図２９】従来の箱入り地質標本撮影用架台２０を示し、（Ａ）は平面図、（Ｂ）は図２７（Ａ）２９Ａ−２９Ｂ線切断矢視断面図。分図（Ａ）に於ける、支承部材１７、補強桟２５の表示は省略した。
【図３０】従来の箱入り地質標本撮影用架台２０の自立状態を示す右側面図。
【図３１】従来の箱入り地質標本撮影用架台２０が設置面１８たる地面或いは床に自立した状態とされ、標本箱１０が該架台に載置された状態を示し、（Ａ）は蓋１２が閉ざされた状態を示す右側面図、（Ｂ）は蓋１２が開かれた状態を示す右側面図。
【図３２】従来の箱入り地質標本撮影用架台２０が設置面１８たる地面或いは床に自立した状態とされ、該架台２０に載置された標本箱の蓋１２が開かれ、地質標本１１に正対する位置から写真撮影が行なわれる状態を示す右側面図。
【図３３】図３２に示すカメラ位置から見た箱入り地質標本の画像の一例１６を示す正面図。
【図３４】箱入り地質標本１１を従来の撮影用架台２０に載置する迄の標本箱１０の動きを示す右側面図。
【図３５】箱入り地質標本１１を従来の撮影用架台２０に載置する際の標本箱１０の姿勢として好ましくない例（×印）を示す右側面図。
【図３６】標本箱の留め金４４が従来の支承部材１７に当る場合についての対応例を示し、（Ａ）は標本箱１０の下側を少し前方に引き出した状態を示す右側面図、（Ｂ）は標本箱１０を引き出し過ぎ、落下する状態を示す右側面図。
【図３７】従来構造の箱入り地質標本撮影用架台２０に標本箱１０を載置して引き起こして行く場合を示し、（Ａ）は途中まで引き起こした状態、（Ｂ）は垂直まで引き起こした状態を示す。
【発明を実施するための形態】
【００３７】
以下、本発明の詳細を、図示した実施の形態例に基いて説明する。図１〜図６に、実施の形態例の箱入り地質標本撮影用架台３０を示す。図１（Ａ）に正面、図１（Ｂ）に右側面、図２に背面、図３（Ａ）に平面、図３（Ｂ）に図１（Ａ）３Ａ−３Ｂ線切断矢視断面を示す。
図４（Ａ）に前側構造体３１のみの背面、同図（Ｂ）に前側構造体３１のみの右側面を示す。図５（Ａ）後側構造体３３のみの正面、同図（Ｂ）に後側構造体３３のみの右側面を示す。また、図６に架台３０の自立状態を示す。
【００３８】
これら各図に示されるように、撮影用架台３０は前側構造体３１及び後側構造体３３を有する。これら二つの構造体は夫々の上方部分、具体的には夫々の上部桟５７，５８にて蝶番３６で連結されている。
これにより、二つの構造体は、蝶番３６を中心に、それらの下方部分３２，３４が離隔されれば、互いに支え合って地面や床面、即ち、設置面１８に自立する。各下方部分３２，３４の離隔の度合、言わばこの架台３０の足の開き具合は、両者間に展張される鎖２８の長さで決まる。
【００３９】
具体的には、支承部材４８及び足掛け部材３７には夫々洋灯吊５９が立設されており、これに鎖２８の両端近くが引っ掛けられている。この鎖２８の引っ掛け位置を変えることで、鎖２８の長さが変更され、架台３０の足の開き具合が変る。
【００４０】
なお、本実施の形態例には、上記「足」と呼ぶ部分は無い。しかし、蝶番３６を中心にして、前側構造体３１と後側構造体３３とが、離隔、接近する姿は、丁度、人が足を広げたり閉じたりする姿と似ている。
そこで、このように、「足の開き具合」という表現を用いる。この方が、そのときの架台３０の姿勢を、より的確に理解して貰えると考えたからである。
【００４１】
なお、図１〜図３では、この、足が閉ざされた状態で、撮影用架台３０が示されている。また、垂直に立てられた状態で示されている。この状態では、架台３０は自立しない。ただ、図６に示されるような自立した状態を、正確な六面図で表現するのは煩雑だし、又この状態では、本発明の特徴、即ち、後側構造体について、その連結部分から下端までの距離が、前側構造体の当該距離より短い、という特徴を感得しにくい。
【００４２】
そこで、図１〜図３のように、足を閉ざした状態で、且つ垂直に立てた状態で、この架台３０を表現した。これに倣い、図４、図５についても、各構造体３１，３３を垂直に立てた状態で示した。
【００４３】
これら図１〜図６を引用し、箱入り地質標本撮影用架台３０の構造を説明する。即ち、先ず撮影用架台３０は、前述のように、前側構造体３１と後側構造体３３とを有する。
前側構造体３１は左右２本の支柱３９を有する。これら支柱の上端に前側上部桟５７が取着されている。両者はＬ金具６３で固定されている。
【００４４】
前側上部桟５７には、二つの取っ手５２が配置されている。取っ手５２は起倒式で、この取っ手５２を使って架台３０が引き起こされる。
前側構造体３１の下方には支承部材４８が取着されている。この支承部材４８には二つの凹陥部４７が形成されており、支承された標本箱の留め金４４の突出分を吸収する。
【００４５】
前側構造体の左右の支柱３９の上方外側には、蓋位置調節部材５３が設置されている。この調節部材５３は、標本箱の蓋１２が開かれたとき、この蓋１２を支えるもので、回動可能である。
但し、手で回せる一方で、手が触れたりしただけでは回動しない程度に、その止めねじ６４が締め付けられている。この回動が円滑であるように、蓋位置調節部材５３と各支柱との間には、座金６６が介挿されている。
【００４６】
蓋位置調節部材の止めねじ６４は、調節部材５３の回動中心となる。この回動中心から周縁までの距離は、調節部材５３の回動角により変化する。このような構造にしたのは、地質標本１１の直径が何種類か存在し、それに応じて標本箱も何種類か使用されているからである。これら夫々の箱は、その身の高さ、蓋の高さ等が夫々異なっている。
【００４７】
それ故、開かれた蓋の開口面４２と、身の開口面４３とが同一平面に含まれるようにするには、その身の高さ、蓋の高さ等に応じて、蓋と前側構造体３１間の距離を変えてやらなければならない。蓋位置調節部材５３は、その為のもので、前述したように、回動角を変えることで止めねじ６４から周縁までの距離が変る。
【００４８】
図１（Ｂ）等に示されるところの、この実施の形態例の調節部材５３は、具体的には２種類の標本箱に対応し得る。即ち、直径７５ｍｍ地質標本用の標本箱と直径５５ｍｍ地質標本用の標本箱の２種類に対応し得る。
ここでは、図２１〜図２５に標本箱１０を例示している。この標本箱１０は前述したように７５ｍｍ用である。そして、図１（Ｂ）等に示される調節部材５３では、その周縁のうち、止めねじ６４から距離の遠い方が、この７５ｍｍ用標本箱１０への対応用である。こちらを蓋１２の方に指向させたとき、７５ｍｍ用の箱の蓋の開口面４２と、身の開口面４３とが同一平面に含まれるようになる（図１３）。
【００４９】
なお、調節部材５３を１８０度回動させ、反対側の周縁を蓋に指向させると、５５ｍｍ用の箱への対応用となる。このときは、５５ｍｍ用標本箱について、蓋の開口面４２と、身の開口面４３とが同一平面に含まれるようになる。
なお、ここでは、調節部材５３の形状を楕円とした。このような形状にすれば、回動位置に応じて、止めねじ６４から周縁部までの距離が連続的に変わるからである。これにより、他の直径用の標本箱にも対応できる。デザイン上も好ましい。
【００５０】
次に、後側構造体３３について説明する。後側構造体も左右２本の支柱４０を有する。これら支柱の上端に後側上部桟５８が取着されている。両者もＬ金具６３で固定されている。そして、前述したように、前側構造体３１とこの後側構造体３３とは、夫々の上部桟５７，５８に於て二つの蝶番３６で連結されている。
【００５１】
後側構造体３３は、蝶番３６での連結部分からその設置面１８に当接する部分迄の距離が、前記前側構造体３１の当該距離より所要量短かくされている。具体的には、後側構造体の２本の支柱の下端６２までの距離が、前側構造体の２本の支柱の下端６１までの距離より、所要量短くされている。図１（Ｂ）に、このことが端的に示されている。
【００５２】
後側構造体の下方部分３４には、作業者が足を掛ける足掛け部材３７が設けられている。この足掛け部材３７と、前側構造体の支承部材４８には、前述したように、洋灯吊５９が立設されている。これら各洋灯吊５９には、これも前述したように、鎖２８の両端近くの部分が係止されている。なお、この鎖２８は、架台３０の足が広げられ、展張された状態のときのみ示す（２点鎖線）。
鎖２８が展張することで、架台３０はそれ以上足が開かない。即ち、洋灯吊５９へ係止する鎖２８の位置を変えることで、自立時の足の開き具合を変えることが出来る。
【００５３】
なお、標本箱については既に業界で知られているところであるが、念のため、図２１〜図２５を引用して簡単に説明しておく。図２１（Ａ）が蓋１２を閉じた状態の正面、同図（Ｂ）が同じ状態の平面、図２２が同じ状態の右側面を示している。
この標本箱１０は、前述したように直径７５ｍｍの地質標本用である。箱の身１４は、仕切り板４１で５列に区画されている。各列に１メートル分の地質標本１１が収納される。１箱には５メートル分が収納される。
【００５４】
身１４の右側面、左側面には、指掛け部４５が形成されている。この指掛け部４５は、箱１０を持ち上げるとき指先を掛ける為のもので、平面で見て円弧状になるように、箱１０の右側面及び左側面に穿設されている。
身１４と蓋１２は、奥側の二つの蝶番４６で連結されている。また、手前側の二組の留め金４４で蓋１２が身１４に固定される。この留め金４４を外し、蓋１２を１８０回動すれば図２３〜図２５のようになる。撮影するのは、この図２５のように、身の開口面４３と蓋の開口面４２が同一平面に含まれた状態が良い。
【００５５】
図７〜図１４を引用して、この撮影用架台３０による箱入り地質標本１１の撮影までの手順を説明する。先ず、撮影用架台３０を、設置面、即ち地面或いは床に倒した状態にする（図７（Ａ），（Ｂ））。このとき、後側構造体３３を下にする（図７（Ｂ））。なお、図７（Ａ）に示されるのは、撮影用架台３０を、図１（Ａ）に示される状態から、上側を奥に倒した状態である。但し、同図（Ｂ）との関係が理解し易いよう、図７（Ａ）は右に９０度回転し、右側面を下にしている。図８（Ａ）についても同様である。
【００５６】
撮影用架台３０を倒したら、その上、つまり前側構造体３１の上に地質標本入り標本箱１０を載置する（図８（Ａ）、（Ｂ））。このとき標本箱１０は、留め金４４側を支承部材４８に当接させる。撮影用架台３０を引き起こしたとき、こちらが下側になるからである。
【００５７】
この状態で、取っ手５２を起こす（図９（Ａ））。これを掴み、架台３０を引き起こし始める（図９（Ｂ））。この動作が、特許請求の範囲などに言う「二つの構造体の連結部分を引き起こす」という動作に当る。このとき、架台３０の引き起こしの支点は、足掛け部材の後側の角Ｃ１である。
更に引き起こすと（図９（Ｃ））、引き起こしの支点は、後側構造体の支柱の後側の角Ｃ２に移り、次いで、前側構造体の支柱の後側の角Ｃ３に移る。
但し、後側構造体の支柱４０が図９（Ｃ）に示す状態より短いときは、角Ｃ２は支点とはならない。
【００５８】
この状態で更に引き起こされて行くとき（図１０（Ａ）〜図１１（Ａ））、若し蝶番３６が回動しなかったなら、図１５に示すように、後側構造体３３は、前側構造体３１にくっついたまま引き起こされて行く。そして、その支柱の後側の角Ｃ２は地面から離れて行く（隙間Ｇ）。
【００５９】
しかし、言うまでもなく蝶番３６は回動し得る。しかも、後側構造体３３は自重がある。従って、その自重で、後側構造体３３は支柱の角Ｃ２が地面に着くまで回動する（図１０（Ａ）〜図１１（Ｂ））。言うなれば、その支柱の角Ｃ２が地面に接したまま、後側構造体３３は引き起こされて行く。
【００６０】
こうして、後側構造体３３が垂直になる辺りまで架台３０を引き起こしたら（図１１（Ｂ）。）、足掛け部材３７に足を掛け、後側構造体の下方部分３４を前側構造体の下方部分３２から更に離隔させる（図１２（Ａ））。言わば、架台３０の足を広げる訳である。
そして、更に足を広げ、鎖２８がほぼ展張されたら（図１２（Ｂ））、手や足を架台３０から離す。これで前後二つの構造体３１，３３は互いに支え合い、地面や建物の床などの設置面１８に自立する。
【００６１】
なお、図１１（Ｂ）は、後側構造体３３が垂直である状態を示しているが、この状態以前でも、足を掛けて引っ張れば、後側構造体の下方部分３４が作業者の方へ動く。従って、足を掛けて後側構造体の下方部分３４を作業者側へ引っ張り始めるのは、この後側構造体３３が垂直になる以前からであっても良い。
特許請求の範囲で「後側構造体３３がほぼ垂直になった辺り」と記述しているのは、こういうことを意味している。
【００６２】
撮影用架台３０を地面等に自立させたら、標本箱の蓋１２を開け、蓋位置調節部材５３に当接させる（図１３）。前述したとおり、蓋位置調節部材５３は、その回動中心たる止めねじ６４から前記蓋に接する周縁までの距離が、その回動角度によって相違する。
従って、これを回動することで、前側構造体３１と蓋との間の距離Ｄを調節でき、蓋の開口面４２と身の開口面４３とが同一平面に含まれるように為し得る。
【００６３】
箱入り地質標本１１の撮影は、身の開口面４３に対して鉛直な方向から行なうのが良い（図１３）。撮影の心得として当たり前だが、この方が画像の歪みが少ない。
カメラ位置から見た箱入り地質標本の画像の一例４９を図１４に示す。支承部材４８に凹陥部４７が形成されているので、箱の留め金４４の突出分は、この凹陥部４７で吸収されている。
【００６４】
これにより、地質標本が収納された標本箱１０は、支承部材４８にバランス良く支承される。整然とした感じの、見た目の良い画像が得られる。従来の架台２０のように、支承部材１７への留め金４４の接触にも気を遣う必要が無い。
【００６５】
ここで、特許請求の範囲の記載と実施の形態例の関係について、念のため説明をしておく。即ち、特許請求の範囲では、各構造体に関して「連結部分からその設置面に当接する部分までの距離」という表現をしている。
ここに「設置面に当接する部分」とは、実施の形態例に言う「支柱の下端６１，６２」のことである。
【００６６】
しかし、特許請求の範囲では、そういう「支柱の下端」という表現はせず、「設置面に当接する部分」という表現をしている。その理由は、この支柱の下端６１，６２が、必ずしも「設置面に当接する部分」にはならないからである。
例えば、図１６に示すように、各支柱の下に下部桟５０，５１が取着されている場合、これら下部桟の下端６１，６２が「設置面に当接する部分」となる。
【００６７】
即ち、本発明では、このような、設置面に当接する部分から、蝶番３６による連結部分までの距離、言わば、各構造体３１，３３の身の丈に着目している。
そして、この身の丈、即ち、その距離に関して、後側構造体３３のそれを前側構造体３１のそれより所要量短くする、という新たな技術思想を提案している。
【００６８】
従って、若しここで例示した下部桟５０，５１のようなものが存在したならば、その寸法も加えて、この身の丈、即ち距離というものを把握しなければならない。
そういう本発明の特徴をより明確にしておくべく、特許請求の範囲では上記の如く表現をした。この点は、前側構造体３１の「当該距離」に関して同様である。
【００６９】
次に、この「設置面１８に当接する部分までの距離」、言うなれば、実施の形態例の後側構造体の支柱４０の長さ（高さ）について、説明を追加する。その為の図面を、図１７と図１８に示す。
図１７は、後側構造体の支柱４０の長さの例を、対比して示す右側面図、図１８は、架台３０をどこまで引き起こしたら後側構造体３３が垂直になり、そして、架台３０の足を開かせることが出来るようになるかを、対比して示す右側面図である。
【００７０】
これら二つの図に於いて各分図は対応しており、（Ａ）は実施の形態例より長い支柱４０Ｌ、（Ｂ）は実施の形態例の支柱４０、（Ｃ）は実施の形態例より短い支柱４０Ｓを示す。
この対比から理解し得るように、後側構造体３３が垂直になるときの前側構造体３１の引き起こし角度θは、後側構造体の支柱４０が短くなればなるほど小さくなる（θ１〜θ３）。
そのことは即ち、後側構造体の支柱４０が短くなればなるだけ、この後側構造体の作業者側への引き出しが、より早い段階から可能になることを意味する。
【００７１】
尤も、この角度θが小さくなるということは、標本箱１０がそれだけ水平に近づくことを意味する。その分、より垂直な方向から標本箱１０にカメラ１３を向けなければならない。これでは、架台３０を使用する意味が無くなって来る。
一方で、角度θが大きくなるということは、標本箱１０が垂直に近づくことを意味する。その分、標本箱１０が前に倒れ易くなる。
それ故、実施に当っては、この二つの点を勘案して、好ましい角度θ、即ち、前側構造体の支柱３９に対する後側構造体の支柱４０の長さというものを決めると良い。
【００７２】
なお、他の変形例についてであるが、前述したように実施の形態例では、調節部材５３の形状を楕円とした。しかし、止めねじ６４から周縁までの距離を変更し得るなら、形状は任意である。例えば、図１９に示す蓋位置調節部材５４のように、長円であっても良い。
【００７３】
この図１９の調節部材５４も、実施の形態例と同じく、直径７５ｍｍ用標本箱１０と直径５５ｍｍ用標本箱の２種類に対応している。実施の形態例と同様に、調節部材５４の周縁のうち、止めねじ６４から距離の遠い方が７５ｍｍ用であり、その反対側が５５ｍｍ用である。
【００７４】
また、この図１９に示した長円形の調節部材５４では、蓋１２に対し、その長軸を直角に指向させた。指向の方向は、これに限らない。
例えば図２０に示す調節部材５５のように、斜めに指向させても良い。この場合、斜めに指向させた分、この調節部材５５の長さの、前側構造体３１に垂直な方向の成分は小さくなる。そこで、それに見合う分、この調節部材５５の長軸を長くする。そうすれば、蓋の開口面４２と身の開口面４３とが同一平面に含まれるように為し得る。
【００７５】
何故そんな面倒なことをするかと言うと、これにより、更に別の寸法の標本箱にも対応することが出来るようになるからである。即ち、別の寸法の標本箱を載置する場合に、この図２０に示す距離Ｄより更に距離が必要となる場合がある。
そういう場合でも、この調節部材５５の長軸を、蓋に対して直角になる方向に回動させるなどすることにより、当該別の寸法の標本箱についても、その蓋の開口面４２と身の開口面４３とが同一平面に含まれるようにすることが可能になる。
要するに、標本箱の寸法の違いにも、より広く対応させられるようになるのである。以上の点は、実施の形態例の楕円形の調節部材５３についても成り立つ。
【００７６】
なお、実施の形態例では、前側構造体３１と後側構造体３３とを蝶番３６で連結した。連結手法はこれに限られない。例えば、樹脂製の容器などで、身と蓋とを連結するヒンジとして良く見受けられるように、柔軟性のある樹脂で両者を連結しても良い。
【符号の説明】
【００７７】
Ａ１〜Ａ４…姿勢                    Ａ５、Ａ６…姿勢  図３５
Ｃ１…後側構造体の足掛け部材の角    Ｃ２…後側構造体の支柱の後側の角
Ｃ３…前側構造体の支柱の後側の角    Ｃ４…後側構造体の支柱の後側の角
Ｄ  …距離                          Ｇ  …隙間
θ１〜θ３…引き起こし角度          １０…標本箱
１１…標本                          １２…蓋
１３…カメラ                        １４…身
【００７８】
１６…従来の箱入り地質標本の画像    １７…従来の支承部材
１８…設置面（地面、床）            ２０…従来の架台
２１…従来の前側構造体              ２２…従来の前側構造体の支柱
２３…従来の後側構造体              ２４…従来の後側構造体の支柱
２５…従来の後側構造体補強桟        ２６…従来の前側構造体の下方部分
２７…従来の後側構造体の下方部分    ２８…鎖
３０…本願の架台                    ３１…本願の前側構造体
３２…本願の前側構造体の下方部分
【００７９】
３３…本願の後側構造体              ３４…本願の後側構造体の下方部分
３６…架台の蝶番                    ３７…足掛け部材
３９…本願の前側構造体の支柱        ４０…本願の後側構造体の支柱
４０Ｌ…本願の後側構造体の支柱の長い例
４０Ｓ…本願の後側構造体の支柱の短い例
４１…仕切り板                      ４２…蓋の開口面
４３…身の開口面                    ４４…留め金（ａは身側、ｂは蓋側）
４５…指掛け部                      ４６…標本箱の蝶番
４７…支承部材の凹陥部              ４８…本願の支承部材
【００８０】
４９…本願の箱入り地質標本の画像の一例
５０…前側下部桟                    ５１…後側下部桟
５２…取っ手                        ５３…蓋位置調節部材
５４…調節部材第二例                ５５…調節部材第三例
５７…前側上部桟                    ５８…後側上部桟
５９…洋灯吊                        ６１…前側支柱下端
６２…後側支柱下端                  ６３…Ｌ金具
６４…止めねじ                      ６６…座金
【図１】
2014164140.tif 000003
【図２】
2014164140.tif 000004
【図３】
2014164140.tif 000005
【図４】
2014164140.tif 000006
【図５】
2014164140.tif 000007
【図６】
2014164140.tif 000008
【図７】
2014164140.tif 000009
【図８】
2014164140.tif 000010
【図９】
2014164140.tif 000011
【図１０】
2014164140.tif 000012
【図１１】
2014164140.tif 000013
【図１２】
2014164140.tif 000014
【図１３】
2014164140.tif 000015
【図１４】
2014164140.tif 000016
【図１５】
2014164140.tif 000017
【図１６】
2014164140.tif 000018
【図１７】
2014164140.tif 000019
【図１８】
2014164140.tif 000020
【図１９】
2014164140.tif 000021
【図２０】
2014164140.tif 000022
【図２１】
2014164140.tif 000023
【図２２】
2014164140.tif 000024
【図２３】
2014164140.tif 000025
【図２４】
2014164140.tif 000026
【図２５】
2014164140.tif 000027
【図２６】
2014164140.tif 000028
【図２７】
2014164140.tif 000029
【図２８】
2014164140.tif 000030
【図２９】
2014164140.tif 000031
【図３０】
2014164140.tif 000032
【図３１】
2014164140.tif 000033
【図３２】
2014164140.tif 000034
【図３３】
2014164140.tif 000035
【図３４】
2014164140.tif 000036
【図３５】
2014164140.tif 000037
【図３６】
2014164140.tif 000038
【図３７】
2014164140.tif 000039